(57)【特許請求の範囲】
【請求項１】
被写体の画像を生成し、生成された画像が表示部に表示されている状態で絞りの状態をユーザの操作に応じて調整可能なモードである絞り込みモードを有する撮像装置であって、
前記被写体の光学像を形成する光学系と、
前記光学像を画像信号に変換する画像取得部と、
前記画像信号に基づく画像を表示する表示部と、
前記光学系に含まれる絞りを有し前記絞りの状態を調節可能な絞り調節部と、
前記光学系に含まれるフォーカスレンズを有し、コントラスト検出方式により前記フォーカスレンズを用いて前記光学像を合焦状態に調節可能な焦点調節部と、
前記焦点調節部により前記合焦状態の調節を行う前に前記光学系の絞り値が設定絞り値以下になるように、前記絞り調節部の動作を制御する制御部と、
を備え、
前記設定絞り値は、前記光学系における最小絞り値よりも大きく、
前記制御部は、前記撮像装置が絞り込みモードである状態において、
前記焦点調節部により前記合焦状態の調節を行う前の前記光学系の絞り値である第１絞り値を前記設定絞り値と比較し、
前記第１絞り値が前記設定絞り値よりも大きい場合、前記光学系の絞り値が前記設定絞り値となるまで前記絞り調節部を動作させ、前記焦点調整部により前記合焦状態の調節を行った後、前記光学系の絞り値が前記設定絞り値から前記第１絞り値に戻るまで前記絞り調整部を動作させ、
前記第１絞り値が前記設定絞り値以下の場合、前記光学系の絞り値を前記第１絞り値としたまま前記焦点調整部により前記合焦状態の調節を行い、
前記表示部は、前記合焦状態の調節後、前記第１絞り値の画像を表示する、
撮像装置。
【請求項２】
焦点調節を開始するための焦点調節情報の入力を受け付ける焦点調節操作部をさらに備え、
前記制御部は、前記焦点調節操作部に入力された前記焦点調節情報に基づいて、前記光学系の絞り値が前記設定絞り値になるように、前記絞り調節部の動作の制御を開始する、
請求項１に記載の撮像装置。
【請求項３】
前記画像信号に基づいて前記被写体の画像を表示する表示部と、
前記絞り込みモードを開始するためのモード情報の入力を受け付けるモード操作部と、
をさらに備え、
前記焦点調節部は、前記モード操作部に入力された前記モード情報に基づいて、前記合焦状態の調節を開始する、
請求項１又は２に記載の撮像装置。
【請求項４】
焦点調節および絞り調節が可能な交換レンズを装着可能なカメラ本体であって、
被写体の光学像を変換することにより生成された画像信号に基づく画像を表示する表示部と、
ユーザによる焦点調節および絞り調節の操作を受け付ける操作部と、
前記操作部が受け付けた焦点調節および絞り調節の操作に応じて前記交換レンズを制御するカメラ本体制御部と、
を備え、
前記操作部が前記焦点調節の操作を受け付けたとき、前記カメラ本体制御部は、
前記交換レンズの絞り値として設定されている第１絞り値を、前記交換レンズの光学系における最小絞り値よりも大きい設定絞り値と比較し、
前記第１絞り値が前記設定絞り値よりも大きい場合、前記設定絞り値となるように前記交換レンズを制御し、前記焦点調節を行った後、前記設定絞り値から前記第１絞り値に戻すように前記交換レンズを制御し、
前記第１絞り値が前記設定絞り値以下の場合、前記交換レンズの絞り値を変更せずに前記第１絞り値の状態のまま前記焦点調節を行うよう前記交換レンズを制御し、
前記表示部は、前記合焦状態の調節後、前記第１絞り値の画像を表示する、
カメラ本体。
【発明の詳細な説明】
【技術分野】
【０００１】
本発明は、撮像装置、特に絞り値変更機能を有する撮像装置に関する。
【背景技術】
【０００２】
近年、デジタルカメラなどの撮像装置が急速に普及している。デジタルカメラとして、デジタル一眼レフカメラが知られている。このデジタル一眼レフカメラでは、光学ファインダを用いて被写体を観察する場合、光学系に入射した光（すなわち被写体像）が光路上に配置された反射ミラーにより反射され、ファインダ光学系に導かれる。この結果、ペンタプリズム等を介して被写体像が正立像に変換され、光学ファインダに導かれる。これにより、撮影者は光学系により形成された被写体像を光学ファインダから観察することができる。
【０００３】
一方、光学系を撮影用として使用する場合は、反射ミラーが撮影用光路から待避する。この結果、ファインダ用光路が撮影用光路に切り換えられ、撮影が終了すると反射ミラーは定位置に瞬時に戻る。この方式は、一眼レフ方式であれば、従来の銀塩カメラでも、デジタルカメラでも同様である。
【０００４】
しかし、光学ファインダを用いての撮影は、デジタルカメラの撮影に不慣れな初心者にとっては、非常に使いにくい。
【０００５】
そこで、撮影時に液晶モニタにより被写体を観察できるモニタ撮影モード（いわゆる、ライブビュー撮影モード）を有する撮像装置が提案されている（例えば、特許文献１を参照）。
【先行技術文献】
【特許文献】
【０００６】
【特許文献１】特開２００１−１２５１７３号公報
【発明の概要】
【発明が解決しようとする課題】
【０００７】
一般的に、この種の撮像装置は、絞り値変更機能を有している。モニタ撮影モードの場合、設定された絞り値にて順次撮影された実時間画像が表示装置に表示される。このため、表示装置を介して、絞り値に応じて変化する被写界深度の確認を行うことができる。
【０００８】
しかし、一般的に、絞り値が大きくなると、被写界深度が深くなり画像内で焦点がどこに合っているのか判断しにくくなる。このため、画像信号を利用して焦点を調節するコントラスト検出方式の場合、コントラスト値のピークを特定しにくくなり、焦点調節の精度が低くなるおそれがある。撮影前の絞り値に関係なく、安定した焦点調節が可能な撮像装置が求められている。
【０００９】
また、様々な絞り値の画像を確認する際に、焦点の合った画像の方が絞り値の違いによる画像の違いを確認しやすいが、そのような技術はいまだ提案されていない。
【００１０】
本発明の課題は、絞り値変更機能を有する撮像装置において、焦点調節の安定化を図ることにある。
【００１１】
本発明の別の課題は、絞り値変更機能を有する撮像装置において、利便性を高めることにある。
【課題を解決するための手段】
【００１２】
第１の発明に係る撮像装置は、被写体の画像を生成するための撮像装置であって、光学系と、画像取得部と、絞り調節部と、焦点調節部と、制御部と、を備えている。光学系は被写体の光学像を形成する。画像取得部は光学像を画像信号に変換する。絞り調節部は、光学系に含まれる絞りを有しており、絞りの状態を調節可能である。焦点調節部は、光学系に含まれるフォーカスレンズを有しており、コントラスト検出方式によりフォーカスレンズを用いて光学像の合焦状態を調節可能である。制御部は、焦点調節部により合焦状態が調節される前に光学系の絞り値が設定絞り値以下になるように、絞り調節部の動作を制御する。
【００１３】
この撮像装置では、焦点調節部により光学像の合焦状態が調節される前に絞り値が設定絞り値以下になるように調節されるため、例えば、設定絞り値が比較的小さい場合、コントラスト検出方式で焦点調節を行う際の被写界深度が浅くなる。被写界深度が浅い状態ではコントラストが大きくなるため、コントラスト検出方式での焦点調節の精度が高まる。これにより、焦点調節前の絞り値に関係なく、安定した焦点調節が可能となる。
【００１４】
ここで、撮像装置としては、静止画および動画の撮影が可能な装置、静止画のみの撮影が可能な装置および動画のみの撮影が可能な装置が考えられる。撮像装置の例としては、デジタル一眼レフカメラ、デジタルスチルカメラ、デジタルビデオカメラ、カメラ機能付き携帯電話端末、カメラ機能付きＰＤＡ（Personal Digital Assistant）およびカメラ機能付きＰＣ（Personal Computer）などの絞り値変更機能を有する装置が考えられる。制御部は、例えばデジタルカメラに搭載されたマイクロコンピュータである。画像取得部、絞り調節部および焦点調節部の機能の少なくとも一部がマイクロコンピュータにより実現されていてもよい。
【００１５】
第２の発明に係る撮像装置は、第１の発明に係る撮像装置において、焦点調節部による合焦状態の調節後に焦点調節部により合焦状態が調節される前の第１絞り値に光学系の絞り値が戻るように、制御部が絞り調節部の動作を制御する、
第３の発明に係る撮像装置は、第２の発明に係る撮像装置において、制御部が、焦点調節部により合焦状態が調節される前に第１絞り値を設定絞り値と比較し、第１絞り値が設定絞り値よりも大きい場合に、光学系の絞り値が設定絞り値以下になるように、絞り調節部の動作を制御する。
【００１６】
第４の発明に係る撮像装置は、第１から第３のいずれかの発明に係る撮像装置において、設定絞り値が光学系における最小絞り値である。
【００１７】
第５の発明に係る撮像装置は、第１から第４のいずれかの発明に係る撮像装置において、焦点調節を開始するための焦点調節情報の入力を受け付ける焦点調節操作部をさらに備えている。制御部は、焦点調節操作部に入力された焦点調節情報に基づいて、光学系の絞り値が設定絞り値以下になるように、絞り調節部の動作の制御を開始する。
【００１８】
ここで、焦点調節操作部の例としては、２段式のレリーズボタンおよびその他の押しボタンが挙げられる。「焦点調節情報の入力」としては、例えば、レリーズボタンの半押し操作が考えられる。
【００１９】
第６の発明に係る撮像装置は、第１から第５のいずれかの発明に係る撮像装置において、表示部と、モード操作部と、をさらに備えている。表示部は画像信号に基づいて被写体の画像を表示する。モード操作部は、表示部に画像が表示されている状態で絞りの状態を調節可能なモードである絞り込みモードを開始するためのモード情報の入力を受け付ける。焦点調節部は、モード操作部に入力されたモード情報に基づいて、合焦状態の調節を開始する。
【００２０】
第７の発明に係る撮像装置は、被写体の画像を生成するための撮像装置であって、光学系と、画像取得部と、絞り調節部と、焦点調節部と、表示部と、モード操作部と、を備えている。光学系は被写体の光学像を形成する。画像取得部は光学像を画像信号に変換する。絞り調節部は、光学系に含まれる絞りを有しており、絞りの状態を調節可能である。焦点調節部は、光学系に含まれるフォーカスレンズを有しており、画像信号を利用したコントラスト検出方式によりフォーカスレンズを用いて光学像の合焦状態を調節可能である。表示部は画像信号に基づいて被写体の画像を表示する。モード操作部は、表示部に画像が表示されている状態で絞りの状態を調節可能なモードである絞り込みモードを開始するためのモード情報の入力を受け付ける。焦点調節部は、モード操作部に入力されたモード情報に基づいて合焦状態の調節を開始する。
【００２１】
この撮像装置では、絞り込みモード開始後に合焦状態が調節されるため、焦点が概ね合った画像を用いて被写界深度を確認できる。これにより、絞り値の違いによる画像の違いをより確認しやすくなり、利便性が高まる。
【発明の効果】
【００２２】
本発明によれば、絞り値変更機能を有する撮像装置において、焦点調節の安定化を図ることができる。
【００２３】
本発明によれば、絞り値変更機能を有する撮像装置において、利便性を高めることができる。
【図面の簡単な説明】
【００２４】
【図１】デジタルカメラの全体構成図
【図２】カメラ本体の制御システムを示すブロック図
【図３】交換レンズの制御システムを示すブロック図
【図４】撮像装置の上面図
【図５】撮像装置の背面図
【図６】（ａ）半径方向外側から見た絞りリングの展開図、（ｂ）半径方向内側から見た絞りリングの展開図
【図７】絞りリングと絞りリニアセンサとの結合部分を示す断面図
【図８】絞りリニアセンサの回路構成図
【図９】絞りリングに対する摺動子の位置と絞りリニアセンサの出力値との関係を示すグラフ
【図１０】絞り込みモードのフローチャート
【図１１】絞り込みモードのフローチャート
【図１２】（ａ）、（ｂ）、（ｃ）表示部に表示される画像の一例
【図１３】絞り込みモードのフローチャート（他の実施形態）
【発明を実施するための形態】
【００２５】
以下、図面を参照しながら本発明の実施の形態について説明する。
〔第１実施形態〕
＜1：デジタルカメラの全体構成＞
図１〜図３を用いて、本発明の一実施形態としてのデジタルカメラ１００（撮像装置の一例）について説明する。図１はデジタルカメラ１００の全体構成図である。図２はカメラ本体１の制御ブロック図である。図３は交換レンズユニット２の制御ブロック図である。
【００２６】
デジタルカメラ１００は、交換レンズ式のデジタル一眼レフカメラである。図１に示すように、デジタルカメラ１００は主に、カメラ本体１と、カメラ本体１に取り外し可能に装着された交換レンズユニット２と、から構成されている。交換レンズユニット２は被写体の光学像を形成する。カメラ本体１は交換レンズユニット２により形成された光学像を電気信号に変換し、画像データの記録および画像の表示などを行う。
【００２７】
（１．１：交換レンズユニット）
図１および図３に示すように、交換レンズユニット２は主に、光学系Ｌと、光学系Ｌのズーム倍率を調節するズーム調節部２４と、光学系Ｌの焦点を調節する焦点調節部２２と、光学系Ｌの絞り値（絞りの開度により変化する実際のＦ値）を調節する絞り調節部２９と、レンズ制御部としてのレンズマイコン２０（制御部の一例）と、を有している。光学系Ｌはカメラ本体１のイメージセンサ１１に被写体像を結ぶ。
【００２８】
レンズマイコン２０は、交換レンズユニット２の各種シーケンスを制御するためのユニットである。レンズマイコン２０には交換レンズユニット２に関する各種レンズ情報が格納されている。レンズマイコン２０は、ズーム制御部６２、フォーカス制御部２６および絞り制御部２７と双方向通信が可能である。
【００２９】
図１および図３に示すように、ズーム調節部２４は主に、ズームリニアセンサ６０と、Ａ／Ｄ変換部６１と、ズーム制御部６２と、を有している。ズーム制御部６２は、Ａ／Ｄ変換部６１を介して、ズームリニアセンサ６０から信号を受信可能である。ズーム制御部６２は、ズームリニアセンサ６０により検出されたズームリング３８の回転角度を光学系Ｌの焦点距離情報に変換する。ズーム制御部６２は焦点距離情報をレンズマイコン２０へ送信する。
【００３０】
図１および図３に示すように、焦点調節部２２は主に、フォーカスレンズ群２５（フォーカスレンズの一例）と、フォーカスレンズ群２５の動作を制御するフォーカス制御部２６と、を有している。フォーカス制御部２６は、フォーカスリニアセンサ６３から信号を受信可能であり、Ａ／Ｄ変換部６４を介して、フォーカス駆動モータ６５へ信号を送信可能である。フォーカスリニアセンサ６３はフォーカスリング３９の回転角度を検出する。Ａ／Ｄ変換部６４はフォーカスリニアセンサ６３により検出された回転角度情報をデジタル化する。フォーカス制御部２６は、Ａ／Ｄ変換部６４によりデジタル化されたフォーカスリング３９の回転角度情報を物点距離情報に変換する。フォーカス制御部２６はレンズマイコン２０からの命令に基づいて物点距離情報をレンズマイコン２０へ送信する。フォーカス制御部２６は、レンズマイコン２０からの制御信号に基づいてフォーカス駆動モータ６５を駆動する。このように、焦点調節部２２により焦点調節が行われる。
【００３１】
絞り調節部２９は主に、絞りユニット２８と、絞りユニット２８の動作を制御する絞り制御部２７と、絞り値を設定するための絞りリング４０と、を有している。絞りユニット２８は、図示しない絞り羽根と、絞り羽根を駆動するための絞り駆動モータ２８ｂと、を有している。
【００３２】
絞り制御部２７は、絞りリング４０により設定されている絞り値を検出する。具体的には、図３に示す絞りリニアセンサ４１は絞りリング４０の回転角度を検出する。Ａ／Ｄ変換部６７は絞りリング４０により検出された回転角度をデジタル化する。絞り制御部２７は、Ａ／Ｄ変換部６７を介して絞りリニアセンサ４１から信号を受信可能であり、Ａ／Ｄ変換部６７によりデジタル化された絞りリング４０の回転角度情報を絞り値情報に変換する。
【００３３】
絞り制御部２７は、レンズマイコン２０からの命令に基づいて絞り値情報をレンズマイコン２０へ送信し、レンズマイコン２０からの制御信号に基づいて絞り駆動モータ２８ｂを駆動する。絞り駆動モータ２８ｂは、絞り制御部２７からの制御信号により、絞りリング４０で設定された絞り値に応じて絞り羽根を駆動する。このように、絞り調節部２９により光学系Ｌの絞り値が調節される。
【００３４】
交換レンズユニット２はさらに、レンズマウント２１を有しており、レンズマウント２１を介してカメラ本体１の前面に設けられたボディーマウント２３に取り外し可能に装着されている。交換レンズユニット２はレンズマウント２１に設けられた図示しない電気切片を有している。カメラ本体１はボディーマウント２３に設けられた図示しない電気切片を有している。これらの電気切片を介して、後述するボディーマイコン１２とレンズマイコン２０との間でレンズ情報および各種制御信号の送受信が行われる。
【００３５】
（１．２：カメラ本体）
図１および図２に示すように、カメラ本体１は主に、シャッターユニット１０と、画像取得部４５と、本体制御部としてのボディーマイコン１２と、を有している。ボディーマイコン１２は各種シーケンスをコントロールする。
【００３６】
画像取得部４５は主に、イメージセンサ１１と、イメージセンサ１１の動作を制御するイメージセンサ制御部１３と、を有している。イメージセンサ１１は、例えばＣＣＤ（Ｃｈａｒｇｅ  Ｃｏｕｐｌｅｄ  Ｄｅｖｉｃｅ）等である。イメージセンサ１１は、交換レンズユニット２の光学系Ｌにより形成される光学像を画像信号に変換する。
【００３７】
図２に示すように、イメージセンサ１１から出力される画像信号は、アナログ信号処理部５１、Ａ／Ｄ変換部５２、デジタル信号処理部５３、バッファメモリ５４、画像圧縮部５６の順に処理される。具体的には、画像信号は、イメージセンサ１１からアナログ信号処理部５１へ送信される。アナログ信号処理部５１は、イメージセンサ１１から出力された画像信号にガンマ処理等のアナログ信号処理を施す。
【００３８】
アナログ信号処理部５１には、アナログ画像信号のレベル（ゲイン：Ｇａｉｎ）を補正する画像調節部としてのＡＧＣ（Ａｕｔｏ  Ｇａｉｎ  Ｃｏｎｔｒｏｌ）部５９を備えている。このＡＧＣ部５９は、後述する絞り込みモードにおいて適正露出が得られない場合などに、画像信号のレベル不足を補償するアンプ機能を有している。このアンプ機能では、後述するＡ／Ｄ変換部５２の入力電圧範囲に合うよう、アナログ画像信号を入力絞り値に応じた適正な増幅率で増幅する。例えば、このアナログ信号処理部５１は、ＡＧＣ部５９を用いて、後述の絞り込みモードにおいて撮影された実絞り画像に対して、後述する例えば液晶モニタなどの表示部１６での表示に好適な明るさの画像となるようにゲインを変更する処理等を行う。これにより、絞り値が大きい場合でも、表示部１６に表示される画像が明るくなり、実絞り画像を観察しやすくなる。
【００３９】
また、電子ファインダ部９５には、表示部１６と同様に、画像表示制御部１５からの指令に基づいて、画像記録部１８あるいはバッファメモリ５４に記録された画像信号を可視画像として表示することができる。
【００４０】
これにより、従来の一眼レフに搭載されていたクイックリターンミラーが搭載されていなくても、光学系Ｌにより形成された被写体の光学像を、表示部１６、あるいはファインダ接眼窓９を通して観察することが可能となる。その結果、カメラ本体１の光軸ＡＺに沿った方向における薄型化を図ることができる。さらには、交換レンズユニット２の最後部にあるレンズからイメージセンサ１１までの距離（レンズバック）を短くできるため、交換レンズユニット２の小型化を図ることが可能となる。
【００４１】
アナログ信号処理が施された画像信号は、アナログ信号処理部５１からＡ／Ｄ変換部５２へ送信される。Ａ／Ｄ変換部５２は、アナログ信号処理部５１から出力されたアナログ画像信号をデジタル信号に変換する。
【００４２】
デジタル信号処理部５３は、Ａ／Ｄ変換部５２によりデジタル信号に変換された画像信号に対して、ノイズ除去や輪郭強調等のデジタル信号処理を施す。デジタル信号処理が施された画像信号は、デジタル信号処理部５３からバッファメモリ５４へ送信される。バッファメモリ５４は、デジタル信号処理部５３により処理された画像信号を一旦記憶する。バッファメモリ５４は、例えば、ＲＡＭ（Ｒａｎｄｏｍ  Ａｃｃｅｓｓ  Ｍｅｍｏｒｙ）などである。
【００４３】
バッファメモリ５４に記憶された画像信号は、画像記録制御部１７からの命令に従って、バッファメモリ５４から画像圧縮部５６へ送信される。画像記録制御部１７の命令に従って、画像圧縮部５６は画像信号に圧縮処理を行う。この圧縮処理により、画像信号のデータサイズは元の画像信号のデータサイズより小さくなる。例えばこの圧縮方式として、ＪＰＥＧ（Ｊｏｉｎｔ  Ｐｈｏｔｏｇｒａｐｈｉｃ  Ｅｘｐｅｒｔｓ  Ｇｒｏｕｐ）方式などが用いられる。圧縮された画像データは、画像圧縮部５６から画像記録部１８および表示部１６へ送信される。
【００４４】
画像信号を記録するために、画像記録制御部１７および画像記録部１８が設けられている。画像記録制御部１７は、例えば図示しないカード型記録媒体に対して、画像データの読み書きを画像記録部１８に行わせる。具体的には、画像記録制御部１７は、ボディーマイコン１２からの制御信号に基づいて画像記録部１８を制御する。画像記録部１８は、画像記録制御部１７の命令に基づいて、画像データを内部メモリおよび／または記録媒体に記録する。画像データとともに記憶される情報は、例えば、画像を撮影した際の日時、焦点距離情報、シャッタースピード情報、絞り値情報、撮影モード情報などである。
【００４５】
被写体の画像を表示するために、表示部１６が設けられている。画像表示制御部１５は、ボディーマイコン１２からの制御信号に基づいて表示部１６を制御する。具体的には、画像表示制御部１５は、イメージセンサ１１により取得された画像データを読み出し、画像データに対して所定の処理を施した後、表示部１６に画像を表示させる。表示部１６は、画像表示制御部１５の命令に基づいて、画像信号を可視画像として表示するとともに、各種情報を表示する。表示される情報としては、例えば、焦点距離情報、シャッタースピード情報、絞り値情報、撮影モード情報、合焦状態情報、交換レンズユニット２の絞りリング４０の有無、ならびに絞り値の設定ステップおよび設定幅等が挙げられる。また、表示部１６は、画像表示制御部１５の命令に基づいて、所定の撮影および再生モードにおいて、撮影者により設定されるべき設定画面を表示する。
【００４６】
ボディーマイコン１２は、画像記録制御部１７、画像表示制御部１５およびデジタル信号処理部５３と双方向通信が可能である。ボディーマイコン１２は、各種情報および信号を格納するメモリ６８を有している。
【００４７】
（１．３：操作部）
ここで、図４〜図５を用いてデジタルカメラ１００の操作部について説明する。図４はデジタルカメラ１００の上面図である。図５はカメラ本体１の背面図である。
【００４８】
図４に示すように、カメラ本体１には、レリーズボタン３０（焦点調節操作部の一例）と、シャッタースピード設定ダイアル３１と、が設けられている。レリーズボタン３０と、シャッタースピード設定ダイアル３１とは、カメラ本体１の上面に設けられている。
【００４９】
レリーズボタン３０は、ボディーマイコン１２へシャッターの操作タイミングを送信する半押し操作および全押し操作が可能な２段式のスイッチであり、ユーザがレリーズボタン３０を半押し操作すると測光処理および測距処理を開始し、全押し操作すると撮影処理を開始する。シャッタースピード設定ダイアル３１は、シャッタースピードの設定を行うための操作部材である。シャッタースピード設定ダイアル３１は、設定されたシャッタースピード情報およびシャッターモード情報を送信する。シャッタースピード設定ダイアル３１を回転することによりシャッタースピードを調節することができる。シャッタースピード設定ダイアル３１は、シャッタースピードが自動的に設定されるオートの位置を有している。
【００５０】
図４に示すように、交換レンズユニット２の被写体側には、フィルタマウント３７が設けられている。交換レンズユニット２には、フィルタマウント３７からカメラ本体１側（Ｚ軸方向負側）へ向けて、ズームリング３８と、フォーカスリング３９と、絞りリング４０と、が順に配置されている。ズームリング３８、フォーカスリング３９および絞りリング４０は、いずれも円筒状の回転操作部材であり、交換レンズユニット２の外周面において回転可能に配置されている。絞りリング４０は絞り値設定部の一例である。
【００５１】
図５に示すように、カメラ本体１の背面には、電源ボタン７０、撮影／再生モード切り替えボタン７１、ＭＥＮＵ設定ボタン７２、十字操作キー７３、ＳＥＴボタン７４、絞り込みモードボタン７６（モード操作部の一例）が設けられている。カメラ本体１の背面（ユーザ側の面、Ｚ軸方向負側の面）には表示部１６が設けられている。
【００５２】
電源ボタン７０は、デジタルカメラ１００の電源のＯＮ／ＯＦＦを行う操作部材である。撮影／再生モード切り替えボタン７１は、撮影モードと再生モードとの切り替えを行う操作部材である。ここで、撮影モードとは、デジタルカメラ１００において、被写体を新たに撮影して画像信号にするためのモードである。再生モードとは、デジタルカメラ１００において、既に撮影して格納されている画像データを表示するためのモードである。
【００５３】
ユーザが撮影する場合に、電源ボタン７０がＯＮに切り替えられ、撮影／再生モード切り替えボタン７１が撮影モードに切り替えられる。これによりデジタルカメラ１００の電源が入り、表示部１６には、イメージセンサ１１により電気的な画像信号に変換された被写体の可視画像が、画像表示制御部１５の命令に基づいて表示される。
【００５４】
ＭＥＮＵ設定ボタン７２は、表示部１６に各種操作メニューを表示させるための操作部材である。デジタルカメラ１００が撮影モードにある状態において、ユーザがＭＥＮＵ設定ボタン７２を押すと、画像表示制御部１５の命令に基づき、表示部１６には設定メニュー画面が表示される。設定メニュー画面には、撮影モードにおいてユーザにより変更可能な設定項目のアイコンが表示される。
【００５５】
十字操作キー７３は、各種操作メニューの表示項目を選択するための操作部材であり、上下および左右の矢印キーを有している。ＳＥＴボタン７４は、各種操作メニューの表示項目を確定するための操作部材である。絞り込みモードボタン７６は、後述する絞り込みモードへ移行させるためのボタンである。
【００５６】
なお、ボディーマイコン１２は、レリーズボタン３０と、シャッタースピード設定ダイアル３１と、撮影／再生モード切り替えボタン７１と、ＭＥＮＵ設定ボタン７２と、十字操作キー７３と、ＳＥＴボタン７４と、絞り込みモードボタン７６と、から信号を受信可能である。
【００５７】
（１．４：絞りリング）
ここで、図６〜図９を用いて絞りリング４０について説明する。図６（ａ）は半径方向外側から見た絞りリング４０の展開図、図６（ｂ）は半径方向内側から見た絞りリングの展開図である。図７は絞りリング４０と絞りリニアセンサ４１との結合部分の断面図である。図８は絞りリニアセンサ４１の回路構成図である。図９は絞りリング４０の回転角度と絞りリニアセンサ４１の出力値との関係を示すグラフである。
【００５８】
図６（ａ）に示すように、絞りリング４０の外周面には絞り値が表示されている。絞り値の表示領域は２つの領域に分かれている。具体的には図６（ａ）に示すように、「２」から「１１」までの１ＡＶ（Ａｐｅｒｔｕｒｅ  Ｖａｌｕｅ）ごとの表示部分がマニュアルモードに対応している。図６（ａ）に示すように、「Ａ」の表示部分がオートモードに対応している。図６（ｂ）に示すように、絞りリング４０の内周部には直線状のカム溝４２が形成されている。
【００５９】
図７に示すように、絞りリニアセンサ４１は、絞りリング４０の半径方向外側に突出する円筒形状の摺動子４１ａを有している。図６（ｂ）および図７に示すように、絞りリニアセンサ４１の摺動子４１ａは絞りリング４０に形成されたカム溝４２に挿入されている。絞りリング４０が回転すると、カム溝４２に沿って摺動子４１ａは光軸に沿った方向（Ｚ軸方向）に移動する。
【００６０】
図８（ａ）に示すように、絞りリニアセンサ４１は可変抵抗器を有する回路により構成されている。図８（ａ）に示す端子Ｔ２は摺動子４１ａに接続されており、端子Ｔ２およびＴ３は、図７に示す絞りリニアセンサの両端部４１ｂおよび４１ｃに接続されている。端子Ｔ１およびＴ３の間には所定の電圧が付与されている。摺動子４１ａが絞りリニアセンサ４１内にある磁気抵抗体上をスライドすることにより、端子Ｔ２の出力（出力電圧）は図８（ｂ）に示すようにリニアに変化する。
【００６１】
図６に示すように、絞りリング４０の文字「２」が表示されている位置が指標３３の位置と一致している場合、絞りリニアセンサ４１の摺動子４１ａは、カム溝４２の位置Ｐ上にある。この場合、図９に示すように、絞りリニアセンサ４１の出力値（出力電圧値）は、Ｐ’となる。つまり、絞りリング４０の文字「２」が表示されている位置を指標３３の位置と一致させた場合には、絞りリニアセンサ４１の出力電圧値はＰ’となる。
【００６２】
同様に、絞りリング４０を回転させて、絞りリング４０上に文字「２．８」、「４」、「５．６」、「８」、「１１」および「Ａ」が表示されている位置が指標３３の位置と一致している場合、絞りリニアセンサ４１の摺動子４１ａは、カム溝４２の位置Ｑ、Ｒ、Ｓ、Ｔ、ＵおよびＶ上にある。その場合、絞りリニアセンサ４１の出力値（出力電圧値）は、それぞれ、Ｑ’、Ｒ’、Ｓ’、Ｔ’、Ｕ’およびＶ’となる。つまり、絞りリング４０上の文字「２．８」、「４」、「５．６」、「８」、「１１」および「Ａ」が表示されている位置を指標３３の位置と一致させた場合には、絞りリニアセンサ４１の出力電圧値は、Ｑ’、Ｒ’、Ｓ’、Ｔ’、Ｕ’およびＶ’となる。
【００６３】
このように、絞りリニアセンサ４１は、絞りリング４０の回転角度と１対１で対応する出力（出力電圧値）を有しており、絞りリング４０の回転角度に応じた絞り値信号を電圧変化として出力する。したがって、絞りリニアセンサ４１からの出力に基づいて、絞りリング４０の回転角度を検出することができる。
【００６４】
＜２．デジタルカメラの動作＞
（２．１：撮影モード）
次に、図１〜図３および図５を用いて、ユーザが表示部１６を用いて撮影するモニタ撮影モードにおける駆動シーケンスについて説明する。
【００６５】
このモニタ撮影モードにおいては、その自動焦点方法として、従来の一眼レフカメラに用いられていたクイックリターンミラーと共に搭載されていた焦点検出ユニットを用いた位相差検出方式に替わり、イメージセンサ１１で生成された画像データに基づいて、コントラスト検出の自動焦点方式が用いられる。表示部１６を用いたモニタ撮影モード（ライブビュー撮影モード）における自動焦点調節（Auto Focus）の方式としてコントラスト検出方式を用いることにより、撮像装置として、精度の良いフォーカス動作を実現することができる。このモニタ撮影モードでは、定常的に、イメージセンサ１１で画像データを生成しているので、従来の位相差検出方式に比べ、その画像データを用いたコントラスト検出方式の自動焦点調節をするのが容易である。
【００６６】
ここで、コントラスト検出方式を用いた自動焦点調節について説明する。
コントラスト検出方式の自動焦点調節を行う際には、ボディーマイコン１２は、レンズマイコン２０に対して、コントラスト検出用データを要求する。コントラスト検出用データは、コントラスト検出方式の自動焦点調節の際に必要なデータであり、例えば、フォーカス駆動速度、フォーカスシフト量、像倍率、コントラスト検出可否情報などが含まれる。ボディーマイコン１２は、垂直同期信号を定期的に生成する。また、ボディーマイコン１２は、これと並行して、垂直同期信号に基づいて、露光同期信号を生成する。これは、ボディーマイコン１２が垂直同期信号を基準にして、露光開始タイミングと露光終了タイミングとを予め把握しているために、露光同期信号を生成できるのである。ボディーマイコン１２は、垂直同期信号をタイミング発生器（図示せず）に出力し、露光同期信号をレンズマイコン２０に出力する。レンズマイコン２０は、露光同期信号に同期して、フォーカスレンズ群２５の位置情報を取得する。
【００６７】
イメージセンサ制御部１３は、垂直同期信号に基づいて、イメージセンサ１１の読み出し信号と電子シャッター駆動信号とを定期的に生成する。イメージセンサ制御部１３は、読み出し信号および電子シャッター駆動信号に基づいて、イメージセンサ１１を駆動する。すなわち、イメージセンサ１１は、読み出し信号に応じて、イメージセンサ１１内に多数存在する光電変換素子（図示せず）で生成された画素データを垂直転送部（図示せず）に読み出す。
【００６８】
次に、撮影動作について、具体的に説明する。ユーザのレリーズボタン３０の半押し操作により、デジタルカメラ１００のボディーマイコン１２は、交換レンズユニット２内のレンズマイコン２０より、レンズマウント２１およびボディーマウント２３を介して、各種レンズデータを受け取り、内蔵するメモリ６８に保存する。また、ボディーマイコン１２は、レンズマイコン２０に対して、自動焦点開始コマンドを発信する。レリーズボタン３０が半押しされた場合、自動焦点開始コマンドは、コントラスト検出方式の自動焦点調節を開始する旨を示すコマンドである。このコマンドに基づいて、レンズマイコン２０は、フォーカスレンズ群２５を光軸ＡＺに沿った方向に駆動制御する。ボディーマイコン１２は、受信した画像データに基づいて、自動焦点調節用の評価値（以下、ＡＦ評価値という）を算出する。具体的には、イメージセンサ１１で生成された画像データから輝度信号を求め、輝度信号の画面内における高周波成分を積算して、ＡＦ評価値を求める方法が知られている。この算出したＡＦ評価値は、露光同期信号と関連付けた状態でＤＲＡＭ（図示せず）に保存される。そして、レンズマイコン２０から取得したレンズ位置情報も露光同期信号と関連付けられている。そのため、ボディーマイコン１２は、ＡＦ評価値をレンズ位置情報と関連付けて保存することができる。
【００６９】
次に、ボディーマイコン１２は、ＤＲＡＭに保存されたＡＦ評価値に基づいて、コントラストピークを求め、合焦点を抽出できたかどうかを監視する。具体的には、ＡＦ評価値が極大値となるフォーカスレンズ群２５の位置を合焦点として抽出する。このレンズ駆動の方式としては、一般的には山登り方式が知られている。
【００７０】
また、この状態では、デジタルカメラ１００は、イメージセンサ１１で生成した画像データが示す画像をスルー画像として表示部１６に表示する。このスルー画像が動画（ライブビュー）で表示部１６に表示されるので、ユーザは、表示部１６を見ながら静止画を撮像するための構図を決めることができる。
【００７１】
この後、ボディーマイコン１２は、ユーザによりレリーズボタン３０が全押し操作されると、レンズマイコン２０に対して、絞り値を不図示の測光センサからの出力に基づいて計算された絞り値にするよう指示する。そして、レンズマイコン２０は、絞り制御部２７をコントロールし、指示された絞り値まで、絞りを絞り込む。イメージセンサ制御部１３は、イメージセンサ１１の駆動を指示し、シャッターユニット１０の動作を指示する。なお、イメージセンサ制御部１３は、イメージセンサ１１の出力より算出された所定のシャッタースピードの時間だけ、イメージセンサ１１を露光する。
【００７２】
露光完了後、イメージセンサ制御部１３によりイメージセンサ１１から読み出された画像データは、所定の画像処理を実行された後、表示部１６に撮影画像として表示される。また、イメージセンサ１１から読み出され、所定の画像処理を実行された画像データは、画像記録部１８を介して、記憶媒体に画像データとして書き込まれる。
【００７３】
また、本デジタルカメラ１００の自動焦点方式として、多点測距方式が用いられている。この多点測距方式とは、例えば、あらかじめ９点の測距領域Ｆａが設定されており、フォーカス制御時には、各測距領域Ｆａにおける合焦状態を検出し、主被写体に対する最適な合焦位置を算出する。なお、この測距領域Ｆａについては、デジタルカメラ１００により自動的に設定する、あるいはユーザが十字操作キー７３などを用いて、任意の場所に設定する方式のいずれであってもよい。
【００７４】
（２．２：露出設定モードの選択）
デジタルカメラ１００は、露出設定モードとして、プログラム撮影モード、シャッタースピード優先撮影モード、絞り優先モードおよびマニュアル撮影モードを有している。プログラム撮影モードは通常撮影領域に対して自動で露出設定を行うモードである。シャッタースピード優先モードは、シャッタースピードを手動で設定するモードである。絞り優先モードは絞り値を手動で設定するモードである。マニュアル撮影モードはシャッタースピードおよび絞り値を両方とも手動で設定するモードである。
【００７５】
これらの４つの露出設定モードは、絞りリング４０およびシャッタースピード設定ダイアル３１により選択することができる。具体的には、例えば、絞りリング４０の文字「Ａ」が指標３３と一致している状態で、シャッタースピード設定ダイアル３１によりシャッタースピードがオートに設定されている場合、プログラム撮影モードが選択される。絞りリング４０の文字「Ａ」が指標３３と一致している状態で、シャッタースピード設定ダイアル３１によりシャッタースピードがマニュアルに設定されている場合、シャッタースピード優先撮影モードが選択される。絞りリング４０の文字「２」〜「１１」のいずれかが指標３３と一致している状態で、シャッタースピード設定ダイアル３１によりシャッタースピードがオートに設定されている場合、絞り優先撮影モードが選択される。絞りリング４０の文字「２」〜「１１」のいずれかが指標３３と一致している状態で、シャッタースピード設定ダイアル３１によりシャッタースピードがマニュアルに設定されている場合、マニュアル撮影モードが選択される。
【００７６】
以下、４つの露出設定モードのうち、プログラム撮影モードおよびシャッタースピード優先撮影モードを総称してオート絞りモードという。４つの露出設定モードのうち、絞り優先撮影モードおよびマニュアル撮影モードを総称してマニュアル絞りモードという。
【００７７】
（２．３：オート絞りモード）
絞りリニアセンサ４１は、絞りリング４０の回転角度に応じた信号を絞り制御部２７へ出力する。絞りリング４０の文字「Ａ」が指標３３と一致している場合、レリーズボタン３０が操作されると、絞り制御部２７は、絞りリニアセンサ４１から受信した信号に基づいて露出設定モードがオート絞りモードであることを判断する。絞り制御部２７での判断結果は、レンズマイコン２０、ボディーマイコン１２へ送信される。このとき、ボディーマイコン１２への送信は、例えば、レンズマイコン２０とボディーマイコン１２とのマイコン間通信を介して行われる。
【００７８】
シャッタースピード設定ダイアル３１は、回転角度に応じた信号をボディーマイコン１２へ出力する。絞り制御部２７から受信した判断結果およびシャッタースピード設定ダイアル３１からの信号に基づいて、ボディーマイコン１２により露出設定モードがオート絞りモードであると判定される。
【００７９】
ボディーマイコン１２からデジタル信号処理部５３へ命令が送信され、デジタル信号処理部５３により所定のタイミングで画像信号がボディーマイコン１２へ送信される。デジタル信号処理部５３から送信される画像信号に基づいてボディーマイコン１２により露出値が演算される。露出設定モードがプログラム撮影モードである場合、調整可能な絞り値とシャッタースピードとから絞り値およびシャッタースピードの適切な組み合わせがボディーマイコン１２により決定される。露出設定モードがシャッタースピード優先撮影モードである場合、設定されたシャッタースピードに対する適切な絞り値がボディーマイコン１２により演算される。
【００８０】
演算結果に基づいてボディーマイコン１２により制御信号が生成される。この制御信号は、レンズマイコン２０を介してボディーマイコン１２から絞り制御部２７へ送信される。露出設定モードがプログラム撮影モードである場合、演算されたシャッタースピードに基づく制御信号がボディーマイコン１２からシャッター制御部１４へ送信される。露出設定モードがシャッタースピード優先撮影モードである場合、シャッタースピード設定ダイアル３１により設定されたシャッタースピードがボディーマイコン１２からシャッター制御部１４へ送信される。
【００８１】
それと同時に、ボディーマイコン１２から画像表示制御部１５へ制御信号が送信される。この制御信号に基づいて、画像表示制御部１５は表示部１６を駆動する。具体的には、露出設定モードがプログラム撮影モードである場合、画像表示制御部１５により露出設定モードがプログラム撮影モードである旨が表示部１６に表示される。露出設定モードがシャッタースピード優先モードである場合、画像表示制御部１５により露出設定モードがシャッタースピード優先モードである旨が表示部１６に表示される。
【００８２】
レンズマイコン２０からの制御信号に基づいて、絞り駆動モータ２８ｂを駆動するための駆動信号が絞り制御部２７により生成される。この駆動信号に基づいて絞り駆動モータ２８ｂが駆動され、絞り駆動モータ２８ｂにより絞りユニット２８の絞り羽根が駆動される。
【００８３】
ボディーマイコン１２からの制御信号に基づいて、シャッター駆動モータ１０ａを駆動するための駆動信号がシャッター制御部１４により生成される。この駆動信号に基づいてシャッター駆動モータ１０ａは駆動され、シャッター駆動モータ１０ａによりシャッターユニット１０が駆動される。
【００８４】
以上のように、デジタルカメラ１００においてオート絞りモードによる露出設定が行われる。レリーズボタン３０の操作後、以上の動作は瞬時に実行される。
【００８５】
撮影が終了すると、ボディーマイコン１２から画像記録制御部１７へ制御信号が送信される。この結果、画像記録制御部１７の命令に基づいて、画像記録部１８により画像信号が内部メモリおよび／または記録媒体に記録される。
【００８６】
露出設定モードがプログラム設定モードである場合、画像記録制御部１７の命令に基づいて、露出設定モードがプログラム撮影モードである旨の情報が画像信号とともに内部メモリおよび／または記録媒体に記録される。露出設定モードがシャッター優先モードである場合、画像記録制御部１７の命令に基づいて、露出設定モードがシャッタースピード優先モードである旨の情報が画像信号とともに内部メモリおよび／または記録媒体に記録される。
【００８７】
（２．４：マニュアル絞りモード）
絞りリング４０の文字「２」〜「１１」のいずれかの文字が指標３３と一致している場合、レリーズボタン３０が操作されると、絞り制御部２７は、絞りリニアセンサ４１から受信した信号に基づいて露出設定モードがマニュアル絞りモードであると判定する。絞り制御部２７での判断結果は、レンズマイコン２０へ送信される。
【００８８】
シャッタースピード設定ダイアル３１は、回転角度に応じた信号をボディーマイコン１２へ出力する。絞り制御部２７から受信した判断結果およびシャッタースピード設定ダイアル３１からの信号に基づいて、ボディーマイコン１２により露出設定モードがマニュアル絞りモードであると判定される。
【００８９】
レンズマイコン２０は、絞り制御部２７に対して絞りリング４０の回転角度から検出された絞り値情報を要求する。レンズマイコン２０からの命令に基づいて、絞りリング４０の回転角度から検出された絞り値情報が、絞り制御部２７からレンズマイコン２０およびボディーマイコン１２へ送信される。露出設定モードが絞り優先撮影モードである場合、ボディーマイコン１２からデジタル信号処理部５３へ命令が送信され、所定のタイミングで画像信号がデジタル信号処理部５３からボディーマイコン１２へ送信される。
【００９０】
露出設定モードが絞り優先撮影モードである場合、画像信号に基づいてボディーマイコン１２によりシャッタースピードが演算される。露出設定モードが絞り優先撮影モードである場合、検出された絞り値に対する適切なシャッタースピードがボディーマイコン１２により演算される。露出設定モードが絞り優先撮影モードである場合、演算結果に基づいてボディーマイコン１２により制御信号が生成される。露出設定モードが絞り優先撮影モードである場合、演算されたシャッタースピードに基づく制御信号がボディーマイコン１２によりシャッター制御部１４へ送信される。露出設定モードがマニュアル撮影モードである場合、シャッタースピード設定ダイアル３１により設定されたシャッタースピードがボディーマイコン１２によりシャッター制御部１４へ送信される。
【００９１】
それと同時に、ボディーマイコン１２から画像表示制御部１５へ制御信号が送信される。この制御信号に基づいて、画像表示制御部１５は表示部１６を駆動する。具体的には、露出設定モードが絞り優先撮影モードである場合、画像表示制御部１５により露出設定モードが絞り優先撮影モードである旨が表示部１６に表示される。露出設定モードがマニュアル撮影モードある場合、画像表示制御部１５により露出設定モードがマニュアル撮影モードである旨が表示部１６に表示される。
【００９２】
レンズマイコン２０からの制御信号に基づいて、絞り駆動モータ２８ｂを駆動するための駆動信号が絞り制御部２７により生成される。この駆動信号に基づいて、絞り駆動モータ２８ｂが駆動され、絞り駆動モータ２８ｂにより絞りユニット２８の絞り羽根が駆動される。
【００９３】
ボディーマイコン１２からの制御信号に基づいて、シャッター駆動モータ１０ａを駆動するための駆動信号がシャッター制御部１４により生成される。この駆動信号に基づいてシャッター駆動モータ１０ａが駆動され、シャッター駆動モータ１０ａによりシャッターユニット１０が駆動される。
【００９４】
以上のように、デジタルカメラ１００においてマニュアル絞りモードによる露出設定が行われる。レリーズボタン３０の操作後、以上の動作は瞬時に実行される。
【００９５】
撮影が終了すると、ボディーマイコン１２から画像記録制御部１７へ制御信号が送信される。この結果、画像記録制御部１７の命令に基づいて、画像記録部１８により画像信号が内部メモリおよび／または記録媒体に記録される。
【００９６】
露出設定モードが絞り優先モードある場合、画像記録制御部１７の命令に基づいて、画像記録部１８により露出設定モードが絞り優先モードである旨の情報が画像信号とともに内部メモリおよび／または記録媒体に記録される。露出設定モードがマニュアル撮影モードである場合、画像記録制御部１７の命令に基づいて、露出設定モードがマニュアル撮影モードである旨の情報が画像信号とともに画像記録部１８により内部メモリおよび／または記録媒体に記録される。
【００９７】
＜３．絞り込みモード＞
次に、撮影時の絞り込みモードについて説明する。
【００９８】
（３．１：絞り込みモードの概要）
絞り込みモードでは、被写界深度の確認が表示部１６を介して行われる。具体的には、絞り込みモードボタン７６が押されると、撮影モードが自動的にモニタ撮影モードに移行する。この結果、絞りユニット２８での実際の絞り値に対応する実時間画像が表示部１６に表示される。これにより、表示部１６を介して被写界深度の確認を容易に行うことができる。「モード操作部にモード情報が入力される」は、絞り込みモードボタン７６が押されることを意味している。
【００９９】
例えば、この絞り込みモードにおいて、交換レンズユニット２に絞りリング４０が搭載されている場合には、レンズマイコン２０は、絞りリング４０の回転角度に基づいて検出された絞り値情報を絞り制御部２７に要求する。レンズマイコン２０からの命令に基づいて、絞りリング４０の回転角度から検出された絞り値情報が、絞り制御部２７によりレンズマイコン２０およびボディーマイコン１２へ送信される。レンズマイコン２０からの制御信号に基づいて、絞り駆動モータ２８ｂを駆動するための駆動信号が絞り制御部２７により生成される。この駆動信号に基づいて絞り駆動モータ２８ｂは駆動され、絞り駆動モータ２８ｂにより絞りユニット２８の絞り羽根が駆動される。
【０１００】
（３．２：絞り込みモードの具体的動作）
次に、図１０〜図１２を用いて絞り込みモードにおける具体的な動作について説明する。図１０および図１１は絞り込みモードのフローチャートである。図１２（ａ）は絞り値がＦ８の場合の実絞り画像の一例である。図１２（ｂ）は絞り値がＦ２の場合の実絞り画像の一例である。図１２（ｃ）は、絞り値がＦ８の場合の再表示画像の一例である。
【０１０１】
図１０に示すように、絞り込みモードボタン７６が押されたか否かがボディーマイコン１２により判断される（Ｓ１）。絞り込みモードボタン７６が押された場合には、絞り込みモードに移行する（Ｓ１）。絞り込みモードで画像を観察する際、焦点調節がされている画像の方が好ましい。そこで、このデジタルカメラ１００では、絞り込みモードボタン７６が押されたことをボディーマイコン１２が検知すると、コントラスト検出方式により焦点調節（光学系Ｌにより形成された光学像の合焦状態の調節）が行われる（Ｓ２）。絞り込みモード以外のモードでは絞り値がＦ２（絞りが開放状態である最小値）に設定されているため、コントラスト検出方式による高精度の焦点調節が期待できる。
【０１０２】
次に、図１２（ａ）に示すように、画像表示制御部１５からの命令に基づいて、表示部１６には、イメージセンサ１１により得られた実時間画像が表示される（Ｓ３）。ユーザにより絞りリング４０が操作されると、レンズマイコン２０からの命令に基づいて絞り制御部２７により絞りリング４０の回転角度に基づいた絞り情報が検出される（Ｓ４、Ｓ５）。レンズマイコン２０からの制御信号に基づいて、絞り駆動モータ２８ｂを駆動するための駆動信号が絞り制御部２７により生成され、絞り駆動モータ２８ｂにより絞りユニット２８の絞り羽根が駆動される（Ｓ６）。この結果、光学系Ｌの絞り値が絞りリング４０により設定された絞り値に変更される。例えば、絞りリング４０による入力絞り値がＦ８である場合、例えば図１２（ａ）に示すように、表示部１６には絞り値Ｆ８における実時間画像が表示される（Ｓ７）。このとき、例えば、表示部１６において画像の左上には絞り値Ｆ８が表示される。
【０１０３】
ここで、表示部１６に表示される実絞り画像について説明する。実絞り画像の場合、絞り値に応じて被写界深度および明るさが変化する。例えば、図１２（ａ）に示すように、絞り値がＦ８の場合、被写界深度が深いため、左側にある「花１」と右側にある花２とを比べると、どちらにも焦点が合っている。
【０１０４】
しかしながら、ユーザが撮影したい被写体が左側にある「花１」の場合、この「花１」に対して、本当に焦点が合っているかどうかを判断しにくい。また、マニュアルフォーカスにてその都度焦点を合わせることは、特に初心者のユーザにとっては煩わしい
そこで、このデジタルカメラ１００では、画像内の特定の部分に測距領域を合わせることができる。例えば、図１２（ａ）に示す「花１」に対して正確に焦点を合わせる場合、「花１」に測距領域Ｆａをユーザが手動で合わせる（Ｓ８）。測距領域Ｆａを合わせる際、例えば十字操作キー７３が用いられる。十字操作キー７３に入力された方向に測距領域Ｆａが移動する。コントラスト検出方式を用いた自動焦点時には、測距領域Ｆａを設定することにより、正確でかつ速い合焦動作を実現することができる。この場合には、「花１」上に測距領域Ｆａを設定することにより、合焦判定の基準を「花１」に設定することができる。
【０１０５】
なお、被写体が人物の場合には、人物の顔を検出することにより、自動的に測距領域Ｆａを設定できるようにしてもよい。
【０１０６】
レリーズボタン３０を半押し操作すると、自動焦点調節が開始される（Ｓ９）。この自動焦点調節については、前述したように、コントラスト検出方式が用いられる。
【０１０７】
このデジタルカメラ１００では、コントラスト値のピーク位置をより正確に算出できるようにするために、自動焦点調節が行われる前に自動的に絞りが開放状態に調節される。具体的には、レリーズボタン３０を半押し操作すると、ボディーマイコン１２からレンズマイコン２０へ半押し操作信号が送信される。レンズマイコン２０は、この信号に基づいて、絞り調節部２９での絞り値が一旦開放状態（この場合は、最小絞り値Ｆ２（設定絞り値））になるように絞り調節部２９に指令を下す。この結果、図１２（ｂ）に示すように、光学系Ｌの絞り値がＦ２に調節され（Ｓ１０）、絞り値がＦ２である実絞り画像が表示部１６に表示される。このとき、例えばレリーズボタン３０が押された時点での絞りリング４０での入力絞り値が、ボディーマイコン１２または絞り制御部２７により記憶される。絞りが開放状態に設定された後、前述のようにコントラスト検出方式を用いて自動焦点調節が行われる（Ｓ１１）。自動焦点調節終了後、絞り調節部２９により、自動焦点調節が行われる前の状態（絞り値Ｆ８(第１絞り値)の状態）に絞り値が自動的に戻され（Ｓ１２）、図１２（ｃ）に示すように、絞りリング４０にて設定された絞り値Ｆ８の画像が表示部１６に再表示される（Ｓ１３）。
【０１０８】
このように、コントラスト検出方式を用いて自動焦点調節する前に、絞り値が小さく（被写界深度が浅く）なるように自動的に絞り値が調節されるため、絞りリング４０で設定された絞り値に関係なく、焦点調節の精度の安定化を図ることができる。特に、絞りリング４０で設定された絞り値が大きい（被写界深度が深い）場合において、より有効である。
【０１０９】
また、自動焦点調節の前に、主被写体（例えば「花１」）に測距領域Ｆａを合わせることで、焦点調節の精度をさらに高めることができる。
【０１１０】
なお、一般的に、絞り値がＦ８である画像は、絞り値がＦ２の場合に比べてイメージセンサ１１に一定時間内に入射する光の量が少ない。このため、絞り値Ｆ２の画像に比べて、絞り値Ｆ８の画像は、表示部１６に表示される画像が暗くなり、ユーザにとって見にくい。
【０１１１】
そこで、このデジタルカメラ１００では、表示部１６に表示される画像が好適な明るさとなるように、前述のアナログ信号処理部５１のＡＧＣ部５９により、実絞り画像に対してゲイン変更処理（ゲインアップ）が施される。具体的には、ステップＳ７およびＳ１３において、ＡＧＣ部５９により実絞り画像のアナログ信号が絞り値に応じて増幅される。この結果、絞り値に関係なく、図１２（ａ）、（ｂ）、（ｃ）に示す画像の明るさをほぼ同一にすることができる。
【０１１２】
このように、このデジタルカメラ１００では、絞り値に応じて暗くなる実絞り画像を明るく表示することができる。これにより、明るさの違いに影響されることなく、ユーザが画像の被写界深度を容易に確認することが可能となる。
【０１１３】
絞り込みモードボタン７６がＯＦＦであるか否かがボディーマイコン１２により判断され、絞り込みモードボタン７６がＯＦＦでない場合はステップＳ３〜Ｓ１２が繰り返される（Ｓ１３）。これにより、絞りリング４０の入力絞り値に対応する実時間画像が表示部１６に表示され、表示部１６を介して撮影時の被写界深度の確認を容易に行うことができる。
【０１１４】
一方、絞り込みモードボタン７６がＯＦＦに切り替えられた場合、絞り込みモードは終了する（Ｓ１３）。
【０１１５】
＜特徴＞
デジタルカメラ１００の特徴は以下の通りである。
【０１１６】
（１）
このデジタルカメラ１００では、焦点調節部２２により光学像の合焦状態が調節される前に、絞り値が最小値（Ｆ２、開放状態）になるように調節されるため、コントラスト検出方式で焦点調節を行う際に被写界深度が浅くなる。特に、被写界深度が浅い状態ではコントラストが大きくなるため、コントラスト検出方式での焦点調節の精度が高まる。これにより、焦点調節前に絞りリング４０で設定された絞り値に関係なく、安定した焦点調節が可能となる。
【０１１７】
（２）
このデジタルカメラ１００では、焦点調節が完了した後に、光学系Ｌの絞り値が焦点調節前の絞り値Ｆ８に自動的に戻るため、絞り値を戻すために焦点調節後に絞りを手動で操作する必要がなく、円滑な撮影が可能となる。
【０１１８】
（３）
このデジタルカメラ１００では、設定絞り値が最小絞り値であるため、被写界深度が最も浅い状態で焦点調節を行うことができ、コントラスト検出方式による焦点調節がより安定する。
【０１１９】
（４）
このデジタルカメラ１００では、レリーズボタン３０を半押しすると、光学系Ｌの絞り値がＦ２（最小値、開放状態）になるように、ボディーマイコン１２により絞り調節部２９の動作が制御される。このため、焦点調節前に絞りを開放状態に確実に調節することができる。
【０１２０】
（５）
このデジタルカメラ１００では、絞り込みモード開始直後にコントラスト検出方式により焦点調節が行われるため、焦点が概ね合った画像を用いて被写界深度を確認できる。これにより、絞り値の違いによる画像の違いをより確認しやすくなり、利便性が高まる。
【０１２１】
特に、このデジタルカメラ１００では、絞り込みモード以外のモードでの絞り値がＦ２（絞りが開放状態である最小値）に設定されているため、絞り込みモード開始直後にコントラスト検出方式を用いた精度の高い焦点調節が可能となる。
【０１２２】
〔他の実施形態〕
本発明の具体的な構成は、前述の実施形態に限られるものではなく、発明の要旨を逸脱しない範囲で種々の変更および修正が可能である。
【０１２３】
（１）
前述の実施形態では、表示部１６での被写界深度の確認のみの説明であるが、絞り込みモードにおいて、レリーズボタン３０の全押し操作により静止画を撮影できるシーケンスであってもよい。
【０１２４】
（２）
前述の実施形態では、交換レンズユニット２に搭載された絞りリング４０を用いて絞り値の変更が行われている。しかし、交換レンズユニット２に絞りリング４０が搭載されていない場合も考えられる。この場合、例えば、カメラ本体１に搭載されたダイアルなどを用いて絞り値の変更が行われる。カメラ本体１に搭載されたダイアルは、絞り値設定の専用ダイアルでなくてもよく、例えば絞り値設定以外に他の機能を有していてもよい。
【０１２５】
（３）
前述の実施形態では、イメージセンサ１１の前にクイックリターンミラーを配置しない撮像装置の構成について説明したが、従来の一眼レフカメラのように、クイックリターンミラーを配置した構成であっても、本発明を適用することができる。その場合には、ライブビュー撮影モード時には、クイックリターンミラーを光軸ＡＺ外へ退避させる必要がある。
【０１２６】
（４）
前述の実施形態では、絞り込みモードボタン７６を１度押せば撮影モードが絞り込みモードに移行され、もう１度押せば絞り込みモードが解除される。しかし、絞り込みモードボタン７６を押している間のみ、絞り込みモードが継続される構成であってもよい。
【０１２７】
（５）
前述の実施形態では、レリーズボタン３０の半押し操作により絞込みモードでの自動焦点調節が開始されるが、別途、レリーズボタン３０とは異なるボタンを設けてもよい。この場合、そのボタンを押すことにより、自動焦点調節がスタートする。従来の一眼レフカメラのようにクイックリターンミラーが設けられている場合には、レリーズボタン３０の半押し動作により、退避されていたクイックリターンミラーを光軸ＡＺ内に配置して自動焦点調節できるようにしてもよい。また、レリーズボタン３０と異なるボタンを利用する場合には、レリーズボタン３０と異なるボタンを押している間のみ、退避されていたクイックリターンミラーを光軸ＡＺ内に配置して自動焦点調節できるようにしてもよい。
【０１２８】
（６）
前述の実施形態では、ステップＳ７およびＳ１３でのゲインアップ処理はアナログ信号処理部５１のＡＧＣ部５９により行われている。しかし、アナログ信号処理部５１などによりイメージセンサ１１の感度を上げることで絞り値に応じて画像の明るさを調節する場合も考えられる。また、アナログ信号処理部５１以外の部分でゲインアップ処理に相当する処理が行われてもよい。
【０１２９】
（７）
前述の実施形態では、デジタル一眼レフカメラを例に撮像装置について説明している。しかし、前述の技術は、絞り値変更機能を有していれば、デジタル一眼レフカメラ以外の装置（デジタルスチルカメラ、デジタルビデオカメラ、カメラ機能付き携帯電話端末、カメラ機能付きＰＤＡ（Personal Digital Assistant）およびカメラ機能付きＰＣ（Personal Computer））にも適用可能である。撮像装置としては、静止画および動画の撮影が可能な装置、静止画のみの撮影が可能な装置および動画のみの撮影が可能な装置が考えられる。
【０１３０】
（８）
上記説明に用いた座標軸および方向は、デジタルカメラ１００の使用状態を限定するものではない。
【０１３１】
（９）
前述の実施形態では、絞り込みモード開始直後に自動焦点調節が行われるが、図１０のステップＳ２がない場合でも、図１１のステップＳ１０〜Ｓ１２により絞り込みモードにおいて安定した焦点調節が可能となる。
【０１３２】
逆に、図１１のステップＳ１０〜Ｓ１２がない場合でも、図１０のステップＳ２により絞り値の違いによる画像の違いをより確認しやすくなり、利便性を高めることができる。
【０１３３】
（１０）
前述の実施形態では、ステップＳ１０において絞りが開放状態に調節されているが、ステップＳ１０での設定絞り値が最小である必要はない。例えば、ステップＳ１０での設定絞り値がＦ２．８やＦ４などの比較的小さい絞り値であってもよい。この場合、前述の場合と同様に、光学系Ｌの絞り値が必ず設定絞り値になるように絞りを調節してもよい。
【０１３４】
また、焦点調節前の絞り値が設定絞り値よりも小さい場合には、絞り値を設定絞り値に変更せずに焦点調節を行うようにしてもよい。例えば、図１３に示すように、レリーズボタン３０が半押しされると、実際の絞り値と設定絞り値とがボディーマイコン１２により比較される（Ｓ２０）。実際の絞り値が設定絞り値よりも大きい場合、光学系Ｌの絞り値が設定絞り値になるように、絞り調節部２９により絞りが調節される（Ｓ２１）。
【０１３５】
一方、実際の絞り値が設定絞り値と同じあるいは設定絞り値よりも小さい場合、絞りの調節が行われずに、焦点調節が開始される（Ｓ１１）。
【０１３６】
図１３に示す場合であっても、焦点調節前の絞り値が比較的小さくなるため、前述の実施形態と同様の効果を得ることができる。
【０１３７】
さらに、実際の絞り値が設定絞り値よりも大きい場合、光学系Ｌの絞り値が設定絞り値よりも小さい絞り値（設定絞り値とは別に設定された絞り値）になるように絞りが調節されてもよい。例えば、ステップＳ２１において、設定絞り値がＦ４、実際の絞り値がＦ８である場合に、光学系Ｌの絞り値が最小値（例えばＦ２）になるように絞りが調節されてもよい。
【産業上の利用可能性】
【０１３８】
本発明に係る撮像装置では、焦点調節の安定化を図ることができ、また、利便性を高まることができる。このため、本発明はデジタルカメラの分野で有用である。
【符号の説明】
【０１３９】
Ｌ  光学系
ＡＺ  光軸
１  カメラ本体
２  交換レンズユニット
９  ファインダ接眼窓
１０  シャッターユニット
１１  イメージセンサ（画像取得部の一例）
１２  ボディーマイコン(制御部の一例)
１４  シャッター制御部
１５  画像表示制御部
１６  表示部
１８  画像記録部
２０  レンズマイコン
２１  レンズマウント
２３  ボディーマウント
２５  フォーカスレンズ群（フォーカスレンズの一例）
２７  絞り制御部
２８  絞りユニット
２８ｂ  絞り駆動モータ
２９  絞り調節部
３０  レリーズボタン（焦点調節操作部の一例）
３１  シャッタースピード設定ダイアル
３３  指標
３８  ズームリング
３９  フォーカスリング
４０  絞りリング
４１  絞りリニアセンサ
５１  アナログ信号処理部
５３  デジタル信号処理部
５９  ＡＧＣ部
６２  ズーム制御部
６５  フォーカス駆動モータ
６９  交換レンズ内メモリ
７１  撮影／再生モード切り替えボタン
７２  ＭＥＮＵ設定ボタン
７３  十字操作キー
７４  ＳＥＴボタン
７５  撮影モード切り替えボタン
７６  絞り込みモードボタン（モード操作部の一例）
１００  デジタルカメラ（撮像装置の一例）
【図１】
0005486662.tif 000002
【図２】
0005486662.tif 000003
【図３】
0005486662.tif 000004
【図４】
0005486662.tif 000005
【図５】
0005486662.tif 000006
【図６】
0005486662.tif 000007
【図７】
0005486662.tif 000008
【図８】
0005486662.tif 000009
【図９】
0005486662.tif 000010
【図１０】
0005486662.tif 000011
【図１１】
0005486662.tif 000012
【図１２】
0005486662.tif 000013
【図１３】
0005486662.tif 000014